(57)【要約】【課題】通気アダプターに本体を接続する接続金具を用いて本体を仮保持可能とした浴室換気乾燥機および換気装置を提供することを目的とする。【解決手段】ダクト接続部２と本体３の接続面４を設け、天井裏５に配設されるように天井６に設けられる通気アダプター７と、内部に送風手段１１を有し、側面に通風口１２を設けた本体３と、本体３に取り付けられ、通気アダプター７の接続面４に沿い本体３の通気口１２を通気アダプター７に接続する接続金具１３とを備え、接続金具１３に通気アダプター７に係合し、本体３を仮保持する仮保持手段１６を形成したことにより、通気アダプター７に本体３を接続する接続金具１３を用いて本体３を仮保持可能とした浴室換気乾燥機および換気装置を得られる。【選択図】図１
2007278567.tif 000002
【特許請求の範囲】
【請求項１】
屋外と連通するダクトと接続されるダクト接続部と本体の接続面を設け、天井裏に配設されるように天井に設けられる通気アダプターと、内部に送風手段を有し、側面に通気口を設けた本体と、この本体に取り付けられ、前記通気アダプターの接続面に沿い本体の通気口を通気アダプターに接続する接続金具とを備え、前記接続金具に前記通気アダプターに係合し、前記本体を仮保持する仮保持手段を形成した浴室換気乾燥機および換気装置。  
【請求項２】
接続金具の仮保持手段をＲ形状に形成した請求項１記載の浴室換気乾燥機および換気装置。
【請求項３】
接続金具の仮保持手段を略くの字状に形成した請求項１記載の浴室換気乾燥機および換気装置。
【請求項４】
接続金具の仮保持手段を山形の折り返し状に形成した請求項１記載の浴室換気乾燥機および換気装置。
【発明の詳細な説明】
【技術分野】
【０００１】
本発明は、室外と連通する通気アダプターに本体を接続する天井取付型の浴室換気乾燥機および換気装置に関する。
【背景技術】
【０００２】
従来、この種の浴室換気乾燥機および換気装置の一例として天井装着式空調機が知られている（例えば、特許文献１参照）。
【０００３】
以下、その天井装着式空調機について図９および図１０を参照にしながら説明する。
【０００４】
図に示すように、浴室乾燥暖房機本体１０１の側面には板ばねの仮止め金具１０２を設け、天井１０３には浴室乾燥暖房機本体１０１の挿入される開口部１０４と、開口部１０４の４隅には固定ボルト１０５を垂直方向に取り付け、浴室乾燥暖房機本体１０１のフランジ１０６に設けた固定ボルト１０５の対応する位置に垂直方向に取付孔１０７を設け、固定ボルト１０５が取付孔１０７に挿入されたのちナット１０８を締め付けるように設け浴室乾燥暖房機本体１０１を天井１０３の開口部１０４の下方側から差し込んでいくと、仮止め金具１０２は、開口部１０４の周縁１０９に接触し差し込んでいくと周縁１０９に押されて変形し、更に差し込んでいくと天井１０３の上方位置において仮止め金具１０２が天井１０３上に開き浴室乾燥暖房機本体１０１は仮止めされるように構成されている。
【特許文献１】特開２００２−１３０７９７号公報（［０００９］〜［００１１］図７、図８）
【発明の開示】
【発明が解決しようとする課題】
【０００５】
このような従来の天井装着式空調機では、浴室乾燥暖房機本体１０１を天井１０３に仮止め金具１０２により仮止めが可能であるが、仮止め金具１０２は単に浴室乾燥暖房機本体１０１を仮止めするためにのみ使用されるもので別個の部材により仮止め金具１０２を形成する必要があるという課題があり、仮止め金具を別個に用いないようにすることが要求されている。
【０００６】
本発明は、このような従来の課題を解決するものであり、仮止め金具を別個に設ける必要のない浴室換気乾燥機および換気装置を提供することを目的としている。
【課題を解決するための手段】
【０００７】
本発明の浴室換気乾燥機および換気装置は上記目的を達成するために、屋外と連通するダクトと接続されるダクト接続部と、本体の接続面を設け、天井裏に配設されるように天井に設けられる通気アダプターと、内部に送風手段を有し、側面に通気口を設けた本体と、この本体に取り付けられ、前記通風アダプターの接続面に沿い本体の通気口を通風アダプターに接続する接続金具とを備え、前記接続金具に前記通風アダプターに係合し、前記本体を仮保持する仮保持手段を形成したものである。
【０００８】
この手段により、本体の仮止め金具を別個に設ける必要のない浴室換気乾燥機および換気装置が得られる。
【０００９】
また、他の手段は、接続金具の仮保持手段をＲ形状に形成したものである。
【００１０】
この手段により、保持状態が良好で振動等で容易に外れることがなく、経年変化に対応できる浴室換気乾燥機および換気装置が得られる。
【００１１】
また、他の手段は、接続金具の仮保持手段を略くの字状に形成したものである。
【００１２】
この手段により、本体の仮保持が容易となる浴室換気乾燥機および換気装置が得られる。
【００１３】
また、他の手段は、接続金具の仮保持手段を山形の折り返し状に形成したものである。
【００１４】
この手段により、保持状態が良好で振動等で容易に外れることがなく、経年変化にも対応できる浴室換気乾燥機および換気装置が得られる。
【発明の効果】
【００１５】
本発明によれば、本体の仮止め金具を別個に設ける必要のないという効果のある浴室換気乾燥機および換気装置を提供できる。
【００１６】
また、保持状態が良好で振動等で容易に外れることがなく、経年変化に対応できるという効果のある浴室換気乾燥機および換気装置を提供できる。
【００１７】
また、本体の仮保持が容易となるという効果のある浴室換気乾燥機および換気装置を提供できる。
【発明を実施するための最良の形態】
【００１８】
本発明の請求項１記載の浴室換気乾燥機および換気装置は、室外と連通するダクトと接続されるダクト接続部と、本体の接続面を設け、天井裏に配設されるように天井に設けられる通風アダプターと、内部に送風手段を有し、側面に通気口を設けた本体と、この本体に取り付けられ、前記通風アダプターの接続面に沿い本体の通気口を通風アダプターに接続する接続金具とを備え、前記接続金具に前記通風アダプターに係合し、前記本体と仮保持する仮保持手段を形成したものであり、本体に設けた通気口を通気アダプターに接続するように、本体を天井の取付開口より天井裏に挿入し、本体に設けた接続金具を通気アダプターの接続面に沿わせ、本体の通気口を通気アダプターが合致し接続される位置において、接続金具に設けた仮保持手段が通気アダプターに係合して本体が仮保持されることとなり、仮保持するために、接続金具とは別の部材を設ける必要がないという作用を有する。
【００１９】
また、請求項２記載の浴室換気乾燥機および換気装置は、接続金具の仮保持手段をＲ形状に形成したものであり、仮保持が確実に行われ、保持状態が良好で振動等で容易に外れることもなく、経年変化にも対応できる作用を有する。
【００２０】
また、請求項３記載の浴室換気乾燥機および換気装置は、接続金具の仮保持手段を略くの字状に形成したものであり、本体の仮保持が容易となる作用を有する。
【００２１】
また、請求項４記載の浴室換気乾燥機および換気装置は、接続金具の仮保持手段を山形の折り返し状に形成したものであり、通気アダプターに対する係合がし易くなり、仮保持手段による本体の仮保持が容易になるとともに、保持状態が良好で経年変化にも対応できるという作用を有する。
【００２２】
以下、本発明の実施の形態について図面を参照しながら説明する。
【００２３】
（実施の形態１）
図１〜図４に示すように、室外と連通するダクト１と接続されるダクト接続部２と浴室換気乾燥機の本体３の接続面４を設け、天井裏５に配設される天井６に設けられる通気アダプター７と、内部に浴室８に温風を循環させる循環用送風機９と、浴室８内の湿気を含む室外に排気する排気用送風機１０よりなる送風手段１１を設け、側面に通気アダプター７と接続される通気口１２を設け、通気アダプター７の接続面４に接続される接続金具１３を本体３の上部にねじ１４により取り付け、接続金具１３には通気アダプター７の係合部１５に係合されるＲ形状の仮保持手段１６を設け、天井６には本体３が挿脱される取付開口１７を設け構成する。
【００２４】
上記構成において、天井裏５に配設された通気アダプター７に本体３を接続するときには、本体３を天井６の取付開口１７より天井裏５に挿入し、通気アダプター７の接続面４に本体３の側面を合わせ通気アダプター７と通気口１２を連通するように接続し、本体３に取り付けられている接続金具１３の仮保持手段１６を通気アダプター７の係合部１５に係合して本体３を仮保持して取り付ける。
【００２５】
そして、浴室８内に吊り下げた衣類等を乾燥するときには、循環送風機９により浴室８内に循環送風して温風を衣類に接続させて衣類を乾燥するとともに、衣類から発生した水分を含む空気は送風手段１１の排気用送風機１０により浴室８内の空気を本体３内に給気し、本体３に設けた通気口１２を通り通気アダプター７を介し、室外に排気して衣類の乾燥が行われる。
【００２６】
また、入浴後の浴室８内の湿気を室外に排出する場合には、循環用送風機９の運転を停止し、排気用送風機１０のみを運転することにより浴室８内の湿気が室外に排出されるように換気を行うことができる。
【００２７】
このように実施の形態１の発明によれば、室外と連通するダクト１と接続されるダクト接続部２と本体３の接続面４を設け、天井裏５に配設されるように天井６に設けられる通気アダプター７と、内部に送風手段１１を有し側面に通気口１２を設けた本体３と、この本体３に取り付けられる通風アダプター７の接続面４に沿い本体３の通気口１２を通気アダプター７に接続する接続金具１３とを備え、接続金具１３に通気アダプター７に係合し、本体３を仮保持する仮保持手段１６を形成したので、本体３に設けた通気口１２を通気アダプター７に接続するように本体３を天井６の取付開口１７より天井裏５に挿入し、本体３に設けた接続金具１３を通気アダプター７の接続面４に沿わせ本体３の通気口１２を通気アダプター７が合致し接続される位置において、接続金具１３に設けた仮保持手段１６が通気アダプター７に係合して本体３が仮保持されることとなり、仮保持するために、本体３を通気アダプター７に接続する接続金具１３とは別の他の部材を設ける必要がなくなることとなる。
【００２８】
また、接続金具１３の仮保持手段１６をＲ形状に形成したことにより本体３の仮保持が確実に行われ、保持状態が良好で、振動等で容易に外れることもなく経年変化にも対応できることとなる。
【００２９】
なお、実施の形態１では、実施例として浴室換気乾燥機を用いて説明したが、本体内部に、排気または給気の送風手段を設けた天井取付型の換気装置を浴室以外の部屋に設けて部屋の換気を行う場合に用いても同様の作用効果をもたらすものである。
【００３０】
（実施の形態２）
図５および図６に示すように、接続金具１３Ａの仮保持手段１６Ａを略くの字状に形成し構成する。
【００３１】
上記構成においては、通気アダプター７Ａの係合部１５Ａに仮保持手段１６Ａが係合するときに、係合部１５Ａに対し、仮保持手段１６Ａの傾斜面が沿うこととなり、係合がスムーズになって本体３Ａの仮保持が容易となることとなる。
【００３２】
（実施の形態３）
図７および図８に示すように、接続金具１３Ｂの仮保持手段１６Ｂを山形の折り返し状に形成し構成する。
【００３３】
上記構成においては、通気アダプター７Ｂに形成した係合部１５Ｂに係合し易くなり、接続金具１３Ｂによる本体３Ｂの仮保持が容易となるとともに仮保持手段１６Ｂの折り返し部分により保持されることとなり、保持状態が良好で経年変化に対応できることとなる。
【００３４】
なお、実施の形態１〜実施の形態３において、浴室内に温風を循環送風させるとともに、浴室内の空気を排気する浴室換気乾燥機を用いて説明したが、室内の空気を排気する、あるいは、室外の空気を給気する換気装置においても、同様の作用効果を有するものである。
【産業上の利用可能性】
【００３５】
本発明にかかる浴室換気乾燥機および換気装置の本体の仮止め構造は、本体の仮止め金具を別個に設けることなく本体を通気アダプターに仮保持できることによって、天井に取り付けられる空気調和機、熱交換器等にも適用できる。
【図面の簡単な説明】
【００３６】
【図１】本発明の実施の形態１の浴室換気乾燥機の仮保持状態を示す部分断面図
【図２】同浴室換気乾燥機の取付時の状態を示す斜視図
【図３】同浴室換気乾燥機の接続金具の取付時の状態を示す上面斜視図
【図４】同浴室換気乾燥機の接続金具の斜視図
【図５】本発明の実施の形態２の浴室換気乾燥機の接続金具の斜視図
【図６】同浴室換気乾燥機の仮保持状態を示す部分断面図
【図７】本発明の実施の形態３の浴室換気乾燥機の接続金具の斜視図
【図８】同浴室換気乾燥機の仮保持状態を示す部分断面図
【図９】従来の浴室乾燥暖房機の装着途中の状態を示す側面図
【図１０】同浴室乾燥暖房機の仮止め状態を示す側面図
【符号の説明】
【００３７】
１      ダクト
２      ダクト接続部
３      本体
４      接続面
５      天井裏
６      天井
７      通気アダプター
１１    送風手段
１２    通気口
１３    接続金具
１３Ａ  接続金具
１３Ｂ  接続金具
１６    仮保持手段
１６Ａ  仮保持手段
１６Ｂ  仮保持手段
【図１】
2007278567.tif 000003
【図２】
2007278567.tif 000004
【図３】
2007278567.tif 000005
【図４】
2007278567.tif 000006
【図５】
2007278567.tif 000007
【図６】
2007278567.tif 000008
【図７】
2007278567.tif 000009
【図８】
2007278567.tif 000010
【図９】
2007278567.tif 000011
【図１０】
2007278567.tif 000012